(57)【要約】【課題】万歩計（登録商標）の提供。【解決手段】本考案は一種の万歩計（登録商標）に関わるものである。主にハウジング、電気制御回路板、振れ子機構、及び表示スクリーンより構成する。該ハウジング内部に収容空間を設ける。該電気制御回路板を該ハウジングに取り付ける。該振れ子機構に支持台、揺動ばね板、及び一つ以上の重り塊を設ける。該支持台は該電気制御回路板に固定し、電気制御回路板と電気導通する。該揺動ばね板の一端は該支持台に電気導通し、他端は一つ以上の重り塊と連結する。該表示スクリーンは該電気制御回路板に連結する。これにより、揺動ばね板の最適な揺動を実現する。【選択図】図１
0003128781.tif 000002
【実用新案登録請求の範囲】
【請求項１】
ハウジングを設け、該ハウジング内部に収容空間を設け、
電気制御回路板を設け、該電気制御回路板は該ハウジングの収容空間に取り付け、
振れ子機構を設け、該振れ子機構に支持台、揺動ばね板、及び一つ以上の重り塊を設け、該支持台は該電気制御回路板に取り付けて、該電気制御回路板と電気導通し、該揺動ばね板の一端は該支持台に電気導通し、他端は一つ以上の重り塊に連結し、
表示スクリーンを設け、該表示スクリーンは電気制御回路板と電気導通し、
以上の構成要素により、揺動ばね板に最適な揺動効果を提供することを特徴とする万歩計（登録商標）。
【請求項２】
該揺動ばね板は導電部材を使用することを特徴とする請求項１記載の万歩計（登録商標）。
【請求項３】
該揺動ばね板は銅板を使用することを特徴とする請求項１記載の万歩計（登録商標）。
【請求項４】
該揺動ばね板は銅板にセラミック層を結合したものを特徴とする請求項１記載の万歩計（登録商標）。
【考案の詳細な説明】
【技術分野】
【０００１】
本考案は一種の万歩計（登録商標）、特に一種のハウジング、電気制御回路板、振れ子機構、及び表示スクリーンの組合せ構造により、揺動ばね板の一端に一つ以上の重り塊に連結し、揺動ばね板の最適な揺動を提供し、各種の万歩計（登録商標）又は類似品の機構に応用できる。
【背景技術】
【０００２】
公知技術の万歩計（登録商標）構造は、主にハウジング、電気制御回路板、振れ子機構及び表示スクリーンより構成する。該電気制御回路板は該ハウジング内部に取り付ける。該振れ子機構に支持台と揺動ばね板を設け、該支持台は該電気制御回路板に固定し、電気制御回路板と電気導通する。該揺動ばね板の一端は該支持台と電気接続し、該表示スクリーンは電気制御回路板と電気接続し、歩数計数情報を提供する。該万歩計（登録商標）構造の歩数計数機能は、該揺動ばね板の一端を該支持台と電気接続し、揺動ばね板の揺動支持点とする。しかしながら、該揺動ばね板に重り塊が設けられていないため、揺動効果がよくない。さらに、該揺動ばね板は温度の冷熱変化により、揺動ばね板の振れ幅のばらつきを引き起こす。このため、実際使用のとき、利用者の需要に見合ったことといえない。
【考案の開示】
【考案が解決しようとする課題】
【０００３】
ハウジング、電気制御回路板、振れ子機構、及び表示スクリーンを組み合わせた後、揺動ばね板の一端に一つ以上の重り塊に連結し、揺動ばね板最適な揺動効果を提供し、全体の実業性と便利性の向上を図る、一種の万歩計（登録商標）を提供することを本発明の主な目的である。
【０００４】
該揺動ばね板は銅板をセラミック層と結合した複合材質より構成し、該揺動ばね板の冷熱変化による振れ幅のばらつきを防いで、極めて良い安定な歩数計数効果を提供し、全体の利用性を向上する、一種の万歩計（登録商標）を提供することを本発明のもう一つの目的である。
【０００５】
前記の目的を達成するため、本考案は一種の万歩計（登録商標）を提供し、主にハウジング、電子制御回路板、振れ子機構、及び表示スクリーンより構成する。該ハウジング内部に収容空間を設ける。該電気制御回路板を該ハウジングに取り付ける。該振れ子機構に支持台、揺動ばね板、及び一つ以上の重り塊を設ける。該支持台は該電気制御回路板に固定し、電気制御回路板と電気導通する。該揺動ばね板の一端は該支持台に電気導通し、他端は一つ以上の重り塊と連結する。該表示スクリーンは該電気制御回路板に連結する。これにより、揺動ばね板の最適な揺動及び安定な歩数計数効果を提供し、全体の利用性を向上する。
【課題を解決するための手段】
【０００６】
請求項１の考案は、ハウジングを設け、該ハウジング内部に収容空間を設け、
電気制御回路板を設け、該電気制御回路板は該ハウジングの収容空間に取り付け、
振れ子機構を設け、該振れ子機構に支持台、揺動ばね板、及び一つ以上の重り塊を設け、該支持台は該電気制御回路板に取り付けて、該電気制御回路板と電気導通し、該揺動ばね板の一端は該支持台に電気導通し、他端は一つ以上の重り塊に連結し、
表示スクリーンを設け、該表示スクリーンは電気制御回路板と電気導通し、
以上の構成要素により、揺動ばね板に最適な揺動効果を提供することを特徴とする万歩計（登録商標）としている。
請求項２の考案は、該揺動ばね板は導電部材を使用することを特徴とする請求項１記載の万歩計（登録商標）としている。
請求項３の考案は、該揺動ばね板は銅板を使用することを特徴とする請求項１記載の万歩計（登録商標）としている。
請求項４の考案は、該揺動ばね板は銅板にセラミック層を結合したものを特徴とする請求項１記載の万歩計（登録商標）としている。
【考案の効果】
【０００７】
本考案は万歩計（登録商標）、ハウジング、電気制御回路板、振れ子機構、及び表示スクリーンを組み合わせた後、揺動ばね板の一端に一つ以上の重り塊に連結し、揺動ばね板最適な揺動効果を提供し、全体の実業性と便利性の向上を図る。該揺動ばね板は銅板をセラミック層と結合した複合材質より構成し、該揺動ばね板の冷熱変化による振れ幅のばらつきを防いで、極めて良い安定な歩数計数効果を提供し、全体の利用性を向上する。
【考案を実施するための最良の形態】
【０００８】
図１〜３は、本考案の万歩計（登録商標）である。該万歩計（登録商標）は以下の構成要素より構成する。
【０００９】
ハウジング１０を設け、該ハウジング１０内部に収容空間を設ける。
【００１０】
電気制御回路板２０を設け、該電気制御回路板２０は該ハウジング１０の収容空間に取り付ける。
【００１１】
振れ子機構３０を設け、該振れ子機構３０に支持台３１、揺動ばね板３２(該揺動ばね板３２は導電部材より構成し、銅板３２１又は銅板３２１にセラミック層３２２を設けるなどを使用する。)、一つ以上の重り塊３３を設ける。該支持台３１は該電気制御回路板２０に取り付け、電気制御回路板２０と電気導通する。該揺動ばね板３２の一端は該支持台３１に連結し、他端は一つ以上の重り塊３３に連結する。
【００１２】
表示スクリーン４０を設け、該表示スクリーン４０は電気制御回路板２０と電気導通する。
【００１３】
図１〜３に示す本考案の万歩計（登録商標）は、前記の構成要素の組合せにより構成する。本考案の特徴はハウジング１０、電気制御回路板２０、振れ子機構３０及び表示スクリーン４０を組み合わせた構造である。該揺動ばね板３２の一端は該支持台３１に電気接続し、他端は一つ以上の重り塊３３に連結して、揺動ばね板３２の最適な揺動効果を提供する。さらに、該揺動ばね板３２は銅板３２１にセラミック層３２２を結合した複合材質を使用することにより、該揺動ばね板３２の冷熱変化による振れ幅のばらつきを防いで、極めて良い安定な歩数計数効果を実現し、本考案に良い揺動性と安定な歩数計数効果を提供し、全体の利用性と利便性を向上できる。
【図面の簡単な説明】
【００１４】
【図１】本考案の好ましい実施例の立体外観図である。
【図２】本考案の好ましい実施例の組合せ断面図である。
【図３】本考案の実施例の局所断面拡大概略図である。
【符号の説明】
【００１５】
１０  ハウジング
２０  電気制御回路板
３０  振れ子機構
３１  支持台
３２  揺動ばね板
３２１  銅板
３２２  セラミック層
３３  重り塊
４０  表示スクリーン
【図１】
0003128781.tif 000003
【図２】
0003128781.tif 000004
【図３】
0003128781.tif 000005